(57)【要約】【課題】  従来の果菜選別装置では乗継ぎコンベアを必要としていたため、構造が複雑となってコスト高となったり、装置全体が大型化したりするという課題があった。【解決手段】  本件出願の物品搬送送出方法は、物品搬送体の物品載せ体に載せて搬送中の物品を、その物品載せ体を搬送方向斜め後方に稼働させて、同方向に送り出す方法である。この場合、物品搬送体の搬送中に物品搬送体とは別体の送出体を搬送方向斜め後方に移動させることにより搬送中の物品を同方向に送り出すこともできる。前記いずれの場合も搬送方向斜め後方に送り出す物品は、物品搬送体の側方に配置されている物品受体に載るようにすることができる。【選択図】  図１
2015091734.tif 000002
【特許請求の範囲】
【請求項１】
物品搬送体の物品載せ体に載せて搬送中の物品を、その物品載せ体を搬送方向斜め後方に稼働させて、同方向に送り出すことを特徴とする物品搬送送出方法。
【請求項２】
物品搬送体で搬送中の物品を、搬送方向斜め後方に移動する送出体により、同方向に送り出すことを特徴とする物品搬送送出方法。
【請求項３】
請求項１又は請求項２記載の物品搬送送出方法において、
物品搬送体で搬送中の物品を、物品搬送体から搬送方向斜め後方に送り出して、物品搬送体の側方に配置されている物品受体に送り出すことを特徴とする物品搬送送出方法。
【請求項４】
請求項１乃至請求項３のいずれかに記載の物品搬送送出方法において、
物品搬送体から搬送方向斜め後方に送り出される物品の送り速度を減速させることを特徴とする物品搬送送出方法。
【請求項５】
請求項１乃至請求項４のいずれかに記載の物品搬送送出方法において、
搬送中の物品を判別部において判別項目別に自動的に判別し、判別済みの物品を判別内容別に搬送方向斜め後方に送り出すことを特徴とする物品搬送送出方法。
【請求項６】
物品搬送体が、多数の物品載せ体と、それらが装備された無端走行体を備え、物品載せ体は無端走行体の走行により走行して物品載せ体上の物品を搬送し、物品搬送中に物品載せ体自体が稼働して、物品載せ体上の物品を搬送方向斜め後方に送り出し可能であることを特徴とする物品搬送送出装置。
【請求項７】
物品搬送体が、多数の物品載せ体と、それらが装備された無端走行体と、物品載せ体を稼働させる駆動体を備え、物品載せ体は無端走行体の走行により走行して物品載せ体上の物品を搬送し、駆動体は物品搬送中の物品載せ体を稼動させて、物品載せ体上の物品を搬送方向斜め後方に送り出し可能であることを特徴とする物品搬送送出装置。
【請求項８】
請求項６又は請求項７記載の物品搬送送出装置において、
物品載せ体がベルトコンベアであり、ベルトコンベアは移動又は回転して、物品載せ体上の物品を搬送方向斜め後方に送り出し可能であることを特徴とする物品搬送送出装置。
【請求項９】
請求項６記載の物品搬送送出装置において、
物品載せ体がベルトコンベアであり、そのベルトコンベアの下側に係止具が突設され、その係止具はベルトコンベアの走行と共に走行し、ベルトコンベアとは別の案内体にガイドされて搬送方向斜め前方に移動し、前記係止具の移動に伴って前記ベルトコンベアの上側が搬送方向斜め後方に移動又は回転して、前記ベルトコンベア上の物品を搬送方向斜め後方に送り出し可能であることを特徴とする物品搬送送出装置。
【請求項１０】
請求項８又は請求項９記載の物品搬送送出装置において、
ベルトコンベアに物品支持具が設けられ、ベルトコンベアは移動又は回転して、物品支持具に支持された前記ベルトコンベア上の物品を、物品支持具で支持しながら搬送方向斜め後方に送り出し可能であることを特徴とする物品搬送送出装置。
【請求項１１】
請求項７記載の物品搬送送出装置において、
物品載せ体がローラーコンベアであり、ローラーコンベアとは別に回転駆動体が設けられ、ローラーコンベアは回転駆動体に接触し、回転駆動体の回転に伴ってローラーコンベアが回転して、ローラーコンベア上の物品を搬送方向斜め後方に送り出し可能であることを特徴とする物品搬送送出装置。
【請求項１２】
請求項７記載の物品搬送送出装置において、
物品載せ体がローラーコンベアであり、ローラーコンベアとは別にローラーコンベアを搬送方向斜め後方に下り傾斜にさせる傾斜駆動体を設け、その傾斜駆動体によりローラーコンベアを搬送方向斜め後方に下り傾斜にして、ローラーコンベア上の物品を同方向に送り出し可能であることを特徴とする物品搬送送出装置。
【請求項１３】
請求項７記載の物品搬送送出装置において、
物品載せ体が鍵盤状に首振り可能な多数の支持具であり、支持具とは別に首振り駆動体を設け、その首振り駆動体により支持具を搬送方向斜め後方に下り傾斜に首振りさせ、支持具上の物品を同方向に送り出し可能であることを特徴とする物品搬送送出装置。
【請求項１４】
物品搬送体が多数の物品載せ体と、それらが装備された無端走行体と、物品載せ体上の物品を送り出す送出体を備え、物品載せ体は無端走行体の走行により走行して物品載せ体上の物品を搬送し、物品搬送中に送出体が搬送方向斜め後方に移動して、物品載せ体上の物品を同方向に送り出し可能であることを特徴とする物品搬送送出装置。
【請求項１５】
請求項１４記載の物品搬送送出装置において、
物品載せ体がプレート、二本以上のバー等の固定具であり、固定具とは別に送出体が設けられ、物品搬送中に送出体が搬送方向斜め後方に移動して、固定具の上に載せた物品を同方向に送り出し可能であることを特徴とする物品搬送送出装置。
【請求項１６】
請求項１４記載の物品搬送送出装置において、
物品載せ体がローラーコンベアであり、ローラーコンベアとは別に送出体が設けられ、物品搬送中に送出体が搬送方向斜め後方に移動して、ローラーコンベア上の物品を同方向に送り出し可能であることを特徴とする物品搬送送出装置。
【請求項１７】
請求項６乃至請求項１６のいずれかに記載の物品搬送送出装置において、
多数設けられた物品載せ体のうち、隣接する二以上の物品載せ体が一組のユニットとされ、夫々のユニットは一又は二以上の物品を載せることができる広さであり、各ユニットの物品載せ体が稼動して物品載せ体上の物品を搬送方向斜め後方に送り出し可能であることを特徴とする物品搬送送出装置。
【請求項１８】
請求項６乃至請求項１７のいずれかに記載の物品搬送送出装置において、
物品搬送体の側方に、物品載せ体から搬送方向斜め後方に送り出される物品を受ける物品受体が配置されたことを特徴とする物品搬送送出装置。
【請求項１９】
請求項１８記載の物品搬送送出装置において、
物品受体の上面を物品載せ体側から上り傾斜にして、又は、物品受体の上面を物品載せ体よりも高くして、物品載せ体から物品受体に搬送方向斜め後方に送り出される物品の送り速度を減速可能としたことを特徴とする物品搬送送出装置。
【請求項２０】
請求項１８又は請求項１９記載の物品搬送送出装置において、
物品受体の上面に、物品載せ体から物品受体に搬送方向斜め後方に送り出される物品の送り速度を減速させる減速体が設けられたことを特徴とする物品搬送送出装置。
【請求項２１】
請求項１８乃至請求項２０のいずれかに記載の物品搬送送出装置において、
物品搬送体の物品載せ体の出口側、又は物品載せ体と物品受体の間、又は物品受体の入口側のいずれか一箇所或いは二箇所以上に、物品載せ体から物品受体に搬送方向斜め後方に送り出される物品の送り速度を減速させる減速体が設けられたことを特徴とする物品搬送送出装置。
【請求項２２】
請求項６乃至請求項２１のいずれかに記載の物品搬送送出装置において、
物品搬送体の途中に、搬送中の物品を判別項目別に自動的に判別する判別部を設け、判別部よりも先方で、判別済みの物品を判別項目別に搬送方向斜め後方に送り出して、物品搬送体の側方に配置された物品受体に送り出すことを特徴とする物品搬送送出装置。
【発明の詳細な説明】
【技術分野】
【０００１】
本発明は、農産物、海産物等の一次産業品、工業製品のような二次産業品といった各種物品を搬送し、その搬送中の所定位置で物品を搬送方向側方へ送り出し可能とする物品搬送送出方法、特に、トマト、桃、梨、イチゴ等の丸玉系の果菜や、胡瓜、茄子等の長尺系の果菜を、サイズ別、形状別、色別、糖度別といった各種規格別（等級別）に自動的に選別し、規格別に送り出して並べる果菜選別用として利用するのに適する物品搬送送出方法と、その実施に用いる物品搬送送出装置に関するものである。
【背景技術】
【０００２】
物品を搬送し、その搬送中に所定位置で物品を搬送方向側方へ送り出す物品搬送送出装置や、その物品搬送送出装置を用いた果菜選別装置は従来から各種ある。そのような果菜選別装置の一つとして図１７（ａ）〜（ｃ）に示すようなバケット方式の果菜選別装置がある。この果菜選別装置は、チェーンＢに取り付けられたバケットＣに果菜Ａを載せて搬送し、搬送中にその果菜Ａのサイズ、形状等の規格を計測手段Ｄで計測して判別し、判別後の果菜Ａが受体（プール部）Ｅまで搬送されてくると、バケットＣが図１７（ｃ）に示すように横に倒れてバケットＣの上の果菜Ａが受体Ｅに排出されるようにしたものである。この場合、果菜Ａの規格数の受体ＥがチェーンＢの横に配置され、判別された果菜Ａが規格別に夫々の受体Ｅに排出されるようにしてある。この果菜選別装置では果菜排出時に果菜Ａが受体Ｅの上を転がって、受体Ｅに先に排出されている果菜Ａに衝突して損傷することがあった。
【０００３】
本件出願人は先に前記課題を解決すべく種々の果菜選別装置を開発して特許出願した（特許文献１）。
【０００４】
特許文献１記載の果菜選別装置は、図１８（ａ）（ｂ）に示すように、チェーンＢに果菜Ａを載せる果菜載せ体Ｆを多数取り付け、該果菜載せ体Ｆをベルトコンベア式としたものであり、それに載せた果菜Ａが所定位置まで搬送されると、果菜載せ体Ｆがその移動方向（矢印ａ方向）と９０度直交する方向（矢印ｂ方向）に回転して果菜ＡをチェーンＢの側方に配置したプールコンベアＧに送り出すようにしてある。この場合も、果菜Ａの規格数のプールコンベアＧがチェーンＢの横に配置され、判別された果菜Ａが規格別に夫々のプールコンベアＧに排出されるようにしてある。この果菜選別装置では、果菜載せ体Ｆの上の果菜ＡをプールコンベアＧに送り出す際に、果菜Ａに送り出し方向への勢いが付いて果菜Ａが横向きに転倒したり、果菜Ａに傷がついたりする虞があった。
【０００５】
本件出願人は前記課題を解消すべく特許文献２記載の果菜選別装置を開発した。これは図１９に示すようにベルトコンベア式の果菜載せ体ＦとプールコンベアＧとの間に前方斜め向きの乗継ぎコンベアＨを配置し、果菜載せ体Ｆの上から搬送方向側方（矢印ｂ方向）に排出される果菜Ａが乗継ぎコンベアＨの上を斜め前方（矢印ｃ方向）に通過して、その前方に配置されて矢印ｄ方向に回転するプールコンベアＧ上に送り込まれるようにしてある。
【先行技術文献】
【特許文献】
【０００６】
【特許文献１】特開２００３−５３２７５号公報。
【特許文献２】特開２００４−９９２８５号公報。
【発明の概要】
【発明が解決しようとする課題】
【０００７】
上記特許文献２記載の果菜選別装置は果菜排出時に果菜が傷んだり別の果菜と衝突したりすることはなくなるが、乗継ぎコンベアＨを必要とする分、構造が複雑となってコスト高となったり、装置全体が大型化したりするという課題がある。
【課題を解決するための手段】
【０００８】
本件出願の物品搬送送出方法は、物品搬送体の物品載せ体に載せて搬送中の物品を、その物品載せ体を搬送方向斜め後方に稼働させて、同方向に送り出す方法である。この場合、物品搬送体の搬送中に物品搬送体とは別体の送出体を搬送方向斜め後方に移動させることにより搬送中の物品を同方向に送り出すこともできる。前記いずれの場合も搬送方向斜め後方に送り出す物品は、物品搬送体の側方に配置されている物品受体に載るようにすることができる。搬送方向斜め後方へ送り出す物品は送り速度を減速させることもできる。本件出願の物品搬送送出方法は、搬送中の果菜を判別部において規格別に自動的に判別し、判別済みの果菜を規格別に搬送方向斜め後方へ送り出す果菜自動選別方法として使用することもできる。
【０００９】
本件出願の物品搬送送出装置は、物品搬送体で搬送中の物品を搬送方向斜め後方に送り出し可能としたものである。物品搬送体はチェーン等の無端走行体に多数の物品載せ体を取り付けたものであり、物品載せ体が搬送中に搬送方向斜め後方に稼動して物品載せ体の上の物品を同方向に送り出し可能としてある。駆動体を備え、この駆動体により物品載せ体を搬送方向斜め後方に稼働させて、物品載せ体の上の物品を同方向に送り出し可能とすることもできる。
【００１０】
物品載せ体をベルトコンベアとし、ベルトコンベアが物品搬送方向斜め後方に移動又は回転すると、物品載せ体上の物品が同方向に送り出されるようにすることもできる。ベルトコンベアの下側から係止具を突設し、係止具とは別に案内体を設け、そのベルトコンベアが走行すると係止具が案内体によりガイドされて前記係止具が搬送方向斜め前方に移動し、前記係止具の移動に伴って前記ベルトコンベアの上側が搬送方向斜め後方に移動又は回転してベルトコンベアの上の物品が同方向に送り出されるようにすることもできる。ベルトコンベアの上面に物品支持具を設け、物品をその物品支持具に支持させてベルトコンベアの上に載せ、ベルトコンベアを搬送方向斜め後方に移動又は回転させて物品支持具を同方向に移動させると、ベルトコンベア上の物品が同方向に送り出されるようにすることもできる。
【００１１】
物品載せ体をローラーコンベアとし、ローラーコンベアは駆動回転体に接触して搬送方向斜め後方に回転し、その回転によりローラーコンベア上の物品が同方向に送り出されるようにすることもできる。ローラーコンベアを駆動体により搬送方向斜め後方に下り傾斜させることによりローラーコンベア上の物品が同方向に送り出されるようにすることもできる。
【００１２】
物品載せ体を鍵盤状に首振り可能な多数の支持体とし、その支持体を首振り駆動体により搬送方向斜め後方に下り傾斜に首振りさせると、物品載せ体上の物品が搬送方向斜め後方に送り出されるようにすることもできる。
【００１３】
物品載せ体とは別に物品搬送方向斜め後方に移動可能な送出体を設け、送出体の移動で物品載せ体上の物品が同方向に送り出されるようにすることもできる。物品載せ体は板材、間隔をあけて配置した二本以上のバー等の固定具にし、それら物品載せ体を搬送方向斜め後方に向けて配置し、送出体が搬送方向斜め後方に稼動すると物品載せ体上の物品が同方向に送り出されるようにすることもできる。また、物品載せ体をローラーコンベアとし、ローラーコンベアとは別に設けられた送出体が搬送方向斜め後方に移動して、ローラーコンベア上の物品を同方向に送り出されるようにすることもできる。
【００１４】
走行体に取り付けられた多数の物品載せ体のうち、隣接する二以上の物品載せ体を一組のユニットとし、各ユニットを一又は二以上の物品を載せることができる広さにし、各ユニットの物品載せ体を稼動させると物品が搬送方向斜め後方に送り出されるようにすることもできる。
【００１５】
物品搬送体の側方に物品受体を配置して、物品載せ体から斜め後方に送出される物品がその物品受体に載るようにすることもできる。
【００１６】
物品載せ体の出口側、又は物品載せ体と物品受体の間、又は物品受体の入口側のいずれか一箇所或いは二箇所以上に、物品載せ体から物品受体に搬送方向斜め後方に送り出される物品の送り速度を減速させる減速体を設けることもできる。本件出願の物品搬送送出装置では減速体を設けるのではなく、物品受体の上面を物品載せ体側から上り傾斜にして、又は物品受体の上面を物品載せ体よりも高くして、物品載せ体から物品受体に搬送方向斜め後方に送り出される物品の送り速度を減速可能とすることもできる。また、物品受体の上面に減速体を設けることもできる。
【００１７】
本発明の物品搬送送出装置は、果菜自動選別装置として利用することができ、その場合は、物品搬送体で搬送中の果菜を判別部において規格別に自動的に判別し、判別済みの果菜を物品搬送体で判別部よりも先方まで搬送して、搬送方向斜め後方の受体に規格別に送り出すようにすることもできる。
【発明の効果】
【００１８】
本件出願の物品搬送送出方法は次のような効果がある。
（１）物品搬送体で搬送中の物品を搬送方向斜め後方に送り出すため、物品の送り出し速度が減速され、物品が勢いあまって横転したり、損傷したりしにくくなり、物品が傷つき易い果菜の場合であっても損傷が殆ど無い。
（２）物品搬送体を搬送方向斜め後方に駆動させて物品を送り出す場合は、搬送中の物品を確実に送り出すことができる。
（３）搬送中の物品を搬送方向斜め後方に移動する送出体により同方向に送り出す場合は、物品は搬送体の上に載ったまま送り出されるため送り出される物品が安定する。
（４）物品搬送体から搬送方向斜め後方に送り出される物品を、物品搬送体の側方に配置した物品受体に送出する場合は、物品搬送体と物品受体の間に乗継ぎコンベアを設ける必要がなく簡潔な構成で物品を物品受体に送出することができる。また、物品受体を物品搬送体の側方に二以上用意しておけば、それら物品受体に物品を区分して送出することもできる。
（５）物品搬送体から搬送方向斜め後方に送り出される物品を、その送出速度を減速させて送出す場合は、搬送方向斜め後方に送り出されることにより減速する物品が更に減速されるため、物品が果菜であっても、送出し時に横転したり、他の果菜に衝突して損傷したりすることが殆どなくなり、損傷の心配もない。
（６）搬送中の果菜を判別部において規格別に自動的に判別し、判別済みの果菜を規格別に搬送方向斜め後方へ送り出す果菜自動選別方法とした場合は、果菜の自動判別、判別ごとの送り出しを確実に行うことができる。
【００１９】
本件出願の物品搬送送出装置は次のような効果がある。
（１）物品載せ体自体が搬送方向斜め後方に作動して同方向に物品を送り出す場合、物品載せ体を駆動体により搬送方向斜め後方に駆動させて同方向に物品を送り出す場合、送出体を搬送方向斜め後方に移動させて同方向に物品を送り出す装置の場合、のいずれの場合も、物品の送り出し方向が搬送方向と斜め逆方向であるため、送り出される物品が自動的に減速し安定する。
（２）物品載せ体自体の駆動又はそれとは別の送出体の移動により物品載せ体上の物品を搬送方向斜め後方に送り出す構成であるため、その構成が簡潔になる。
（３）物品載せ体をベルトコンベアとし、そのベルトコンベアにそれと共に作動する物品支持具を設けたので、物品を物品支持具に支持させてベルトコンベアに載せれば、物品がその支持状態のまま移動されるため、物品は静止したまま搬送方向斜め後方に送り出される。
（４）物品載せ体をベルトコンベアとし、ベルトコンベアから突出させた係止具が案内体にガイドされて搬送方向斜め後方に移動してベルトコンベアを同方向に移動又は回転させる場合も、ベルトコンベア上の物品が安定して確実に送り出される。
（５）ベルトコンベアを往復移動可能とすれば、物品送り出し後にベルトコンベアを自動的に元の位置に戻して、次に物品を載せる状態に待機させることができ、作業のスピードアップを図ることができる。
（６）物品載せ体を無端走行体と共に移動する板材、二本以上のバー等にし、それとは別に、搬送方向斜め後方に移動してバーの上の物品を同方向に送り出す送出体を設けたので、二本以上のバーの上の物品を静止したままの安定した状態で送り出すことができる。
（７）物品載せ体をローラーコンベアとし、ローラーコンベアを搬送方向斜め後方に回転させる駆動回転体を設けたので、簡潔な構成で確実に物品を送出することができる。
（８）物品載せ体をローラーコンベアとし、それらローラーコンベアは物品搬送方向斜め後方に回転可能に配置し、送出体によりローラーコンベア上の物品を同方向に送り出すようにしたので、搬送中の物品を送出体によって確実に送り出すことができる。
（９）物品載せ体をローラーコンベアとし、ローラーコンベアを傾斜させる傾斜駆動体を設けたので、傾斜駆動体でローラーコンベアを傾斜させるだけで、ローラーコンベア上の果菜を物品搬送方向斜め後方に確実に送り出すことができる。
（１０）物品載せ体を鍵盤状に首振り可能な多数の支持具とし、支持具を首振り駆動体により搬送方向斜め後方に下り傾斜に首振り駆動できるようにしたので、支持具を首振りさせるだけで支持具上の物品を搬送方向斜め後方に送り出すことができる。
（１１）走行体に取り付けた多数の物品載せ体の二以上を一組のユニットとし、各ユニットに一又は二以上の物品を載せられるようにしたので、個々の物品を各ユニットに一つずつ載せて確実に送り出すことができる。
（１２）物品搬送体の側方に、物品載せ体から斜め後方に送出される物品を受ける物品受体を配置した場合は物品搬送体と物品受体の間に乗継ぎコンベアを設ける必要がなく、簡潔な構成で物品を確実に物品受体に送り出すことができる。
（１３）物品載せ体から搬送方向斜め後方に送り出される物品の送り速度を減速させる減速体を設けたので、物品載せ体から送り出される果菜の勢いを更に減ずることができ、果菜が勢いあまって横転したり損傷したりするおそれが殆どなくなる。
（１４）物品受体の上面を物品載せ体側から上り傾斜にして、又は、物品受体の上面を物品載せ体よりも高くして、物品載せ体から物品受体に搬送方向斜め後方に送り出される物品の送り速度を減速可能とした場合も、送り出される果菜の勢いを更に減ずることができ、果菜が勢いあまって横転したり損傷したりするおそれが殆どなくなる。
（１５）上り傾斜にした物品受体の上面に、又は、物品載せ体よりも高くした物品受体の上面に、物品載せ体から物品受体に搬送方向斜め後方に送り出される物品の送り速度を減速させる減速体を設けた場合も、送り出される果菜の勢いを更に減ずることができ、果菜が勢いあまって横転したり損傷したりするおそれが殆どなくなる。
（１６）物品載せ体が搬送方向に多数並んでいる場合は、物品をいずれの物品載せ体に載せても物品を搬送でき、搬送中に斜め後方向に送り出すことができる。
【００２０】
本件出願の物品搬送送出装置を、果菜自動選別装置に利用した場合は、物品搬送体で搬送される果菜を搬送中に規格別に判別し、判別結果に基づいて物品を物品搬送体の側方に配置された物品受体に搬送方向斜め後方に向けて送り出すので、送り出される果菜が自動的に減速され、果菜が勢いあまって物品受体から横転落下したり、先に送り出されている他の果菜に衝突して損傷したりすることが殆どなくなる。
【図面の簡単な説明】
【００２１】
【図１】本発明の物品搬送送出装置を果菜選別に利用した場合の一例を示す平面図。
【図２】本発明の物品搬送送出装置における物品搬送体から物品受体への物品送出し方法の説明平面図。
【図３】本発明の物品搬送送出装置の他の例であり、（ａ）は物品載せ体から物品を搬送方向斜め後方に送出す前の切換レバーの斜視説明図、（ｂ）は、物品載せ体から果菜を送り出す場合の切換レバー切替え後の斜視説明図。
【図４】図３（ａ）、（ｂ）に示す物品載せ体の詳細説明図。
【図５】図３（ａ）、（ｂ）に示す物品載せ体上の物品を物品受体に送出す状態の斜視説明図。
【図６】図３（ａ）、（ｂ）に示す物品載せ体の分解斜視説明図。
【図７】図６に示す物品載せ体の組み立て斜視説明図。
【図８】（ａ）、（ｂ）は物品載せ体に異なる物品を載せた状態の平面説明図。
【図９】（ａ）は二本一組のベルトコンベアを一ユニットにした物品載せ体に載せた物品を、搬送方向後方に回転するベルトコンベアで同方向に送り出す場合の一例を示す平面説明図。（ｂ）は（ａ）の詳細図。
【図１０】数本のベルトコンベアを一ユニットにした物品載せ体に載せた物品を支持体で支持し、その物品を支持体で支持したまま、搬送方向後方に回転するベルトコンベアで同方向に送り出す場合の一例を示す平面説明図。
【図１１】ベルト裏面の係止具を搬送方向後方に移動させることにより、ベルトを同方向に移動させて、ベルトの上の物品を同方向に送り出し可能とした物品載せ体の平面説明図。
【図１２】（ａ）は本発明の物品搬送送出装置の物品載せ体がローラーコンベアの場合の平面説明図、（ｂ）は（ａ）に示すローラーコンベアを回転ベルトで回転させてローラーコンベアの上の物品を搬送方向斜め後方に送り出す場合の側面説明図。
【図１３】（ａ）は本発明の物品搬送送出装置の物品載せ体がローラーコンベアの場合の平面説明図、（ｂ）は（ａ）に示すローラーコンベアを傾斜させてローラーコンベアの上の物品を搬送方向斜め後方に送り出す場合の側面説明図。
【図１４】本発明の物品搬送送出装置において、二本のバーで構成された物品載せ体の上の物品を、搬送方向斜め後方に移動する送出体で同方向に送り出す場合の平面説明図。
【図１５】（ａ）は本発明の物品搬送送出装置において、鍵盤状に首振りする支持具の上に物品を載せて搬送する場合の平面説明図、（ｂ）は支持具を鍵盤状に下り傾斜に首振りさせて支持具の上の物品を搬送方向斜め後方に送り出す場合の側面説明図。
【図１６】（ａ）は本発明の物品搬送送出装置で物品搬送中の平面図、（ｂ）は搬送中の物品を物品搬送体の上から減速体の上を通して、その側方の物品受体に送り出す場合の側面説明図。
【図１７】（ａ）は従来の果菜選別装置の一例を示す平面図、（ｂ）は（ａ）の装置におけるバケット式果菜載せ体の正面図、（ｃ）は（ｂ）の果菜載せ体を横倒しにして果菜を送出す状態の正面図。
【図１８】（ａ）は従来の果菜選別装置の他例を示す平面図、（ｂ）は（ａ）の装置におけるコンベア式果菜載せ体で果菜を送出す状態の正面図。
【図１９】従来の果菜選別装置であり、搬送体で搬送中の果菜を乗継ぎコンベアにより、果菜受体に送出す状態の平面説明図。
【発明を実施するための形態】
【００２２】
本発明の物品搬送送出方法は、各種物品を物品搬送体で搬送し、所定の位置で搬送方向斜め後方に送り出す方法であり、物品搬送送出装置はその方法を実現するための装置である。これら方法及び装置は、例えば、トマト、桃、梨、イチゴ等の丸玉系の果菜や、胡瓜、茄子等の長尺系の果菜を、サイズ別、形状別、色別、糖度別といった各種規格別（等級別）に自動的に選別する果菜自動選別方法、果菜自動選別装置として利用するのに適するものである。
【実施例】
【００２３】
（物品搬送送出方法の実施形態１）
本発明の物品搬送送出方法の実施形態の一例を図面に基づいて説明する。本例では、物品搬送送出方法をトマト、桃、梨、イチゴ等の丸玉系の果菜や、胡瓜、茄子等の長尺系の果菜を、サイズ別、形状別、色別、糖度別といった各種規格別（等級別）に自動的に選別するための果菜自動選別方法として用いた例について説明する。この物品搬送送出方法は、図１に示すように、物品（果菜）１を物品搬送体２の物品載せ体３上に載せて矢印ａ方向に搬送し、搬送中の果菜１を判別部６において規格別に自動的に判別し、判別後の果菜１を物品搬送体側方に配置されたプールコンベア（物品受体）４の横まで搬送すると、図２に示すように、物品載せ体３を搬送方向斜め後方に駆動させて、物品載せ体３上の果菜１を規格別に同方向に送り出して物品受体４に載せ換える方法である。物品受体４は図１に示すように果菜の規格別に物品搬送体２の側方数箇所に配置されており、果菜１は規格別に夫々の物品受体４に送り出されるようにしてある。この方法では、前記物品載せ体３を図２、図３に示すように無端ベルト１８とし、その上面に物品支持具５を取付けて無端ベルト１８の上に載せた果菜１をその物品支持具５で支持できるようにしてある。また、無端ベルト１８の送り出し側を図１〜図３に示すように物品受体４の後方に向けて斜めに配置し、無端ベルト１８が回転或は移動すると、その上の果菜１を搬送方向斜め後方に送出できるようにし、果菜１の送出し速度を減速させて果菜１の勢いがセーブされるようにした。
【００２４】
（物品搬送送出方法の実施形態２）
本発明の物品搬送送出方法では、物品搬送体２によって搬送されている果菜１の搬送方向斜め後方への送り出しは、前記実施形態１記載のように、ベルトコンベアを一本備える物品載せ体３によって行う方法には限られず、例えば、図９（ａ）（ｂ）のように、隣接する二本のベルトコンベア式の物品載せ体３を一組のユニット５０としたり、図１０のように、隣接する四本のベルトコンベア式の物品載せ体３を一組のユニット５０としたりして、夫々のユニット５０に二以上の果菜１を載せることができるようにして、各ベルトコンベアを搬送方向斜め後方へ動かして送り出すようにすることもできる。
【００２５】
（物品搬送送出方法の実施形態３）
果菜１の搬送方向斜め後方への送り出しは、図１１（ａ）（ｂ）のような幅の細い無端ベルト１８を二本平行に並べたベルトコンベア式の物品載せ体３によって行うこともできる。
【００２６】
（物品搬送送出方法の実施形態４）
果菜１の搬送方向斜め後方への送り出しは、図１２（ａ）（ｂ）のような各ローラーを回転可能に備えたローラーコンベア式の物品載せ体３によって行うこともできる。
【００２７】
（物品搬送送出方法の実施形態５）
果菜１の搬送方向斜め後方への送り出しは、図１３（ａ）（ｂ）のような傾斜機構によって斜め後方に傾斜可能としたローラーコンベア式の物品載せ体３によって行うこともできる。傾斜機構は判別結果に基づいて作動して物品を斜め後方に送出させる。
【００２８】
（物品搬送送出方法の実施形態６）
本発明の物品搬送送出方法では、物品搬送体２によって搬送されている果菜１の搬送方向斜め後方への送り出しは、図１４に示すように、二本のバーを搬送方向斜め後方に向けて平行に配置して果菜１を載置可能とした載置台６２と、載置台６２に沿って往復移動可能な送出体６３で構成された物品載せ体３を用い、載置台６２上にのせた果菜１を送出体６３の移動によって矢印方向に押して搬送方向斜め後方に物品受体４に送り出し可能なものとすることもできる。物品載せ体３は、図１４に示すものには限られず、送出体６３によって載置台６２上の果菜１を押して果菜１を斜め後方に送出可能なものであれば、例えば、載置台を、プレート等の固定具としたり、搬送方向斜め後方に回転可能に配置されたローラーコンベアとしたりするなど、任意のものとすることができる。
【００２９】
（物品搬送送出方法の実施形態７）
本発明の物品搬送送出方法では、物品搬送体２で搬送中の果菜１の搬送方向斜め後方への送り出しは、前記各実施形態記載の方法には限られず、図１５（ａ）（ｂ）に示すような鍵盤状の物品載せ体３によって行うこともできる。この場合、図１５（ａ）に示すように、物品載せ体３を、搬送方向斜め後方向きに配置された角棒状の支持材１００とし、その支持材１００を搬送方向斜め後方に向けて多数枚並べ、各支持材１００を首振り駆動体（図示しない）により支持軸１０１を中心に鍵盤状に首振り可能にして物品載せ体３上の果菜１を搬送方向斜め後方に滑落可能とすることもできる。
【００３０】
（物品搬送送出方法の実施形態８）
本発明の物品搬送送出方法では、図１６（ａ）（ｂ）に示すように、物品搬送体２の物品載せ体３と物品受体４の間に設けられた減速体１１０によって、物品載せ体３から物品受体４に搬送方向斜め後方に送り出される果菜１の送り出し速度を減速させることもできる。このとき、減速体１１０としては、表面がフッ素樹脂加工等された板材やテープ等を用いることができる。減速体１１０は、物品載せ体３から物品受体４に向けて上り傾斜に配置することもできる。その場合、同図に示すように、物品受体４の上面を物品載せ体３の上面より高くなるようにしたり、更にその物品受体４自体を上り傾斜にしたりすることができる。減速体１１０は、物品載せ体３の出口側や物品受体４の入口側に備えることもできる。また、果菜１の送り速度の減速は、減速体１１０によるものには限られず、減速体１１０を設けずに、物品受体４の上面を物品載せ体３の上面より高くなるようにしたり、物品受体４自体を上り傾斜にしたりして行うこともできる。
【００３１】
（物品搬送送出方法のその他の実施形態）
本発明の物品搬送送出方法では、物品搬送体２で搬送中の果菜１の搬送方向斜め後方への送り出しは、前記各実施形態記載のものには限られず、他の任意の手段によって行うことができる。
【００３２】
本発明の物品搬送送出方法では、物品搬送体２から搬送方向斜め後方への果菜１の送り出しは、物品受体４の上に限られず他の任意の場所への送り出しとすることもできる。場合によっては、物品受体４を省略することもできる。
【００３３】
（物品搬送送出装置の実施形態１）
本発明の物品搬送送出装置の実施形態の一例を図面に基づいて説明する。本例では、物品搬送送出装置をトマト、桃、梨、イチゴ等の丸玉系の果菜や、胡瓜、茄子等の長尺系の果菜を、サイズ別、形状別、色別、糖度別といった各種規格別（等級別）に自動的に選別するための果菜自動選別装置として用いた例について説明する。この物品搬送送出装置は図１に示すように、果菜１を、物品搬送体２の物品載せ体３に載せて矢印ａ方向に搬送し、搬送中の果菜１を判別部６において形状、サイズ、色といった規格別に自動的に判別し、判別後の果菜１が物品搬送体２の側方に配置されたプールコンベア（物品受体）４の横まで搬送されると、図２に示すように、物品載せ体３を駆動させて、物品載せ体３上の果菜１を搬送方向斜め後方に送り出して物品受体４に載せ換えるようにしたものである。物品受体４は図１に示すように果菜の規格別に物品搬送体２の側方数箇所に配置されており、果菜１は規格別に夫々の物品受体４に送り出されるようにしてある。物品載せ体３は、図２、図３に示すようなベルトコンベア式であり、その無端ベルト１８の上面に物品支持具５を取付け、物品載せ体３に乗せた果菜１を支持できるようにしてあり、また、無端ベルト１８の下面から下方に係止具３５を突設し、それを図３に示す案内体４３に沿って図４のように物品受体４と反対側（図４の右側）に移動させると無端ベルト１８の上走行部が物品受体４側に回転（図４では左回転）して上走行部の上に載せてある果菜１が物品受体４に送り出されるようにしてある。この場合、物品載せ体３の送り出し側を図１〜図３に示すように物品受体４の後方に向けて斜めに配置して、物品載せ体３から送り出される果菜１の送出し速度が減速されて果菜１の勢いがセーブされるようにしてある。以下に、物品搬送体２、物品載せ体３等について詳細に説明する。
【００３４】
図１の物品搬送体２は駆動スプロケット１０ａと従動スプロケット１０ｂに架設された無端状のチェーン１１に、細長の物品載せ体３が多数本取り付けられており、この物品載せ体３はモータＭの回転により駆動スプロケット１０ａが回転し、チェーン１１が矢印ａ方向に移動すると同方向に移動する。前記物品載せ体３はいずれも送出し側３ａをチェーン１１の移動方向斜め後ろ向きにして取り付けてある（図２参照。）。
【００３５】
前記搬送チェーン１１は図３に示すように上走行部が上方開口の角型樋状のチェーンガイド１４内に収容されてその内部を走行するようにしてある。チェーンガイド１４は図５に示すように物品搬送送出装置の主フレーム１３の上面に設置されている。チェーン１１には図２、図６に示すようにアタッチメント１５が一定間隔で取り付けられており、このアタッチメント１５に物品載せ体３のフレーム１６（図６）を取り付けてある。
【００３６】
図１〜図５に示す物品載せ体３は図７に示すように支持板１９と無端ベルト１８を備えたベルトコンベアであり、無端ベルト１８の回転によりその上面に載せた果菜１を無端ベルト１８の回転方向先方（受体４側）へ送り出すものである。
【００３７】
支持板１９は図６に示すように細長い中央板２０の外側に前方側板２１、後方側板２２があり、後方側板２２の前端に平面形状ほぼ三角形のガイド部２３を形成し、ガイド部２３を前方側板２１の前端部より先方まで突出させてある。支持板１９の先端側には前方空間部２４が、後端側には後方空間部２５が形成されている。
【００３８】
無端ベルト１８は図６に示すように前方フリーローラー２６とガイドローラ２７と後方フリーローラー２８の外周に巻いて先端部下側を上向き傾斜にしてあり、その無端ベルト１８を支持板１９の中央板２０の外周に周回させ、無端ベルト１８の先端部と前方フリーローラー２６及びガイドローラ２７を支持板１９の前方空間部２４内に、後端部と後方フリーローラー２８を支持板１９の後方空間部２５内に配置してある。この果菜載せ体３は図４に示す上方開口のコンベアフレーム１６内に収容し、前方フリーローラー２６の回転軸２９をコンベアフレーム１６の前方受け溝３０に回転可能に支持し、ガイドローラ２７の回転軸３１をコンベアフレーム１６の支持孔３２に回転可能に貫通し、後方フリーローラー２８の回転軸３３をコンベアフレーム１６の後方受け溝３４に夫々回転可能に支持して、図６のようにセットされている。
【００３９】
前記無端ベルト１８の上面には物品支持具５が接着剤やネジ等の固定手段で固定されている。物品支持具５はスポンジ製、ゴム製、軟質樹脂製等にして果菜１に傷がつかないようにしてあり、円錐台形にして、果菜１が例えばトマトや林檎等のように下部が細く上部が膨らんでいる形状の果菜であっても安定して支持できるようにしてある。物品支持具５の材質や形状はこれには限られず任意とすることができる。物品支持具５を省略することも可能である。
【００４０】
無端ベルト１８の下面には係止具３５（図６）が取り付けられている。図示した係止具３５にはボルトが使用されており、そのボルトが図６に示すように、コンベアフレーム１６の底板３６に配置した保持具３７、保持具３７の上下に宛がった上当て板３８、下当て板３９を貫通したボルトの下端ネジにナット４０を締付けてコンベアフレーム１６の底板３６に固定してその下方まで突出させてある。係止具３５は図２、図３に示すように、チェーンガイド１４と平行に設けられた上方開口の角型樋状の係止具ガイド４１内をガイドされて移動するようにしてある。係止具ガイド４１は図５に示すように物品搬送送出装置の主フレーム１３の上面にチェーンガイド１４と平行に配置され固定されている。また、係止具ガイド４１は、図５に示すように、案内体４３の設置部分には設けられていない。
【００４１】
図７のように形成された物品載せ体３は、そのコンベアフレーム１６（図４）をチェーン１１のアタッチメント１５にネジ４２（図６）で取付けることによりチェーン１１に固定してある。この場合、物品載せ体３の送出し側３ａをチェーン１１の搬送方向後方に向けて斜めに取付けて、物品載せ体３の上の果菜１が搬送方向斜め後方に送り出されるようにしてある。物品載せ体３の前記取り付け角度（図２中θ）は果菜１を搬送方向斜め後方に送り出し可能であれば任意の角度とすることができ、例えば３０°〜６０°程度とすることができる。この実施例では、図６に示すように、物品載せ体３の後方側板２２の先端部に、前方側板２１の先端よりも先方まで突出している三角形のガイド部２３が形成されているため、物品載せ体３の送出し側３ａを物品搬送体２に対して後方向きに斜めに配置しても、物品載せ体３の先端と物品搬送体２との間が三角形のガイド部２３で閉塞されて隙間が殆ど生じない。このため、物品載せ体３の無端ベルト１８から送出される果菜１が物品受体４に乗り移りにくいとか、果菜１が落下してしまうといったことが無い。
【００４２】
物品載せ体３の幅と、物品載せ体３の隣接間隔は、載せる果菜１のサイズ、形状等によっても異なるが、基本的には物品載せ体３の幅は図８（ａ）に示すように一つの果菜１を載せることができる広さにし、隣接間隔は図８（ｂ）に示すように細長な一本の果菜１を二本以上の物品載せ体３に跨がせて載せることができ、例えば、図２に示すようにサイズの大きな丸玉系の果菜１などを二本以上の物品載せ体３に跨がせて載せることができるように設定するのがよい。
【００４３】
前記判別部６は、物品搬送体２の搬送路上に設けられた、搬送中の果菜１を規格別に自動的に判別する部分である。判別部６は、既存の判別装置と同様にカメラ、糖度センサ、重量計等、判別に必要な各種装置を備え、搬送されてくる果菜１の形状、サイズ、重量、色、糖度等を計測し、自動的に規格を判別できるものである。
【００４４】
図１に示す判別部６の先方には、多数本の案内体４３が平行に、しかも物品搬送体２の搬送方向に対して後方斜め向きに配置されている。夫々の案内体４３の先端側には切換レバー４４が配置されている。切換レバー４４は、判別部６の判別結果に基づいて物品載せ体３の係止具３５の移動方向を切り替えるものであり、案内体４３は係止具３５の移動をそれに沿ってガイドするものである。案内体４３は図３に示すＬ字状の細長板であり、その先端側を図５に示すように選別装置の主フレーム１３の上のチェーンガイド１４に対して斜め後方に向けて配置してある。切換レバー４４は図２、図３に示すように回転体４５に取り付けられており、回転体４５を回転させることにより物品搬送体２と平行な向きの進路不変位置（図３ａ）と、物品搬送体２と交差する向きの進路変更位置（図３ｂ）とに切替えられるようにして、進路不変位置（図３ａ）にあるときは物品搬送体２で搬送されてくる物品載せ体３の底面下方に突出している係止具３５が切換レバー４４及び案内体４３に触れることなくそのまま直進し、物品載せ体３の無端ベルト１８は動作せずその上の果菜は送り出されない。切換レバー４４が進路変更位置（図３ｂ）に切替えられると、物品搬送体２で搬送されてくる物品載せ体３の係止具３５が切換レバー４４に当たって直進が阻止され、案内体４３側に導かれて案内体４３に沿って進行して図３（ｂ）、図４の矢印Ａ方向に移動し、同時に無端ベルト１８の下側も同方向に移動し、無端ベルト１８の上面が搬送体の側方に配置されている物品受体４方向（送り出し方向：図４の矢印Ｂ方向）に移動し、無端ベルト１８の上の果菜１が物品受体４に送出されるようにしてある。前記回転体４５の回転による切換レバー４４の切換えは、前記判別部６での判別結果に応じて制御装置によって制御される。
【００４５】
物品搬送体２の側方に配置されている物品受体４は、図１に示すように物品搬送体２の排出部７から送出される果菜１を受け継いでそのまま搬送したり一旦プールしたりしておくためのものであり、図１の場合は多数本のベルトコンベアが使用され、それらベルトコンベアを物品搬送体２と直交させて二箇所に平行に配置してある。図１では物品受体４が物品搬送体２の搬送方向二箇所に設けられているが、物品受体４は、果菜１の種類や規格毎に物品搬送体２の搬送方向に数箇所に設け、夫々の箇所の物品受体４に果菜１を種類や規格別に送り出すことできるようにすることができる。全ての物品受体４のベルトコンベアの本数を同じにするのではなく、数や種類の多い果菜１を引き継ぐ物品受体４のベルトコンベアは本数を多くし、少ない果菜１を引き継ぐ物品受体４のベルトコンベアは本数を少なくすることができる。物品受体４のベルトコンベアは常時回転させておくことも可能であるが、果菜１が送出されないときは一時停止にして待機させておき、物品載せ体３から果菜１が送出されるときに果菜一個分だけ回転して果菜１が載るように制御することもできる。ベルトコンベアの回転制御は前記判別部６による判別結果に応じて制御装置によって行われる。
【００４６】
物品搬送体２の排出部７の搬送方向先方には、図１に示すように戻し用案内体４６が配置されている。戻し用案内体４６は前記案内体４３とは逆向き斜めに配置されている。果菜１を物品受体４に送り出した物品載せ体３は、物品１を物品受体４へ送り出した後に物品搬送体２によって排出部７の先方へ搬送されていくと、案内体４３によってガイドされて物品受体４から離れた方向に位置している係止具３５を逆方向へガイドして元の位置まで戻すことができるようにしてある。
【００４７】
図１に示す物品搬送体２の搬送開始地点付近（図１の左端側）は果菜１を物品載せ体３に載せる投入部８としてあり、投入部８は作業員が数人並ぶことができる程度の長さが確保されている。
【００４８】
図１の物品受体４の側方には物品受体４にプールされた果菜１を作業者が手作業で取出して箱詰作業をする作業空間が確保されており、ここも数人が並んで作業できる広さのスペースにしてある。なお、物品受体４は、前記のようなベルトコンベアを複数本並べて備えたものには限られず、ローラーコンベアとする等、任意のものとすることができる。また、物品受体４に代えて、別の装置の搬送ラインを備えることも可能である。また、物品受体４を省略することも可能である。
【００４９】
（物品搬送送出装置の使用例）
本発明の物品搬送送出装置を利用した果菜自動選別装置によって果菜を搬送、選別するには次のようにする。
（１）投入部８において、搬送中の物品搬送体２の物品載せ体３の上に果菜１を載せる。この場合、果菜１の形状、サイズ等により、一つの果菜１を一つの物品載せ体３に載せたり、二以上の物品載せ体３に跨がせて載せたりする。
（２）投入部８で載せた果菜１は物品搬送体２で搬送され、判別部６でその形状、大きさ、重量、糖度等が計測され、自動的に規格が判別される。
（３）計測された果菜１は物品搬送体２によって排出部７に搬送される。
（４）排出部７において、前記判別結果に基づいて、どの物品載せ体３の果菜１をどの物品受体４へ送り出すか指示され、この指示に基づいて、切換操作具（回転体）４５が作動して切換レバー４４が進路変更位置に切換えられ、果菜１を載せた物品載せ体３の係止具３５が切換レバー４４に当たって案内体４３へガイドされる（図４参照。）。このとき、果菜１が二以上の物品載せ体３に跨がって載っている場合は、二以上の切換操作具（回転体）４５が同期して動作して、二以上の物品載せ体３の係止具３５が夫々の案内体４３へガイドされるように指示する。
（５）物品載せ体３の係止具３５が案内体４３にガイドされると、物品載せ体３の無端ベルト１８の下側（下走行部）が係止具３５と同方向に移動し、それにより無端ベルト１８の上側（上走行部）が下走行部と反対側に回転し、上走行部に載せてある果菜１が物品受体４へ送り出される。このとき、果菜１が引き継がれる物品受体４のベルトコンベアは果菜一個分だけ回転して、ベルトコンベアに果菜１を一個だけ載せることができるようにする。この繰り返しにより果菜１が物品受体４に順次送り込まれ、果菜１が判別結果に応じて所定規格の物品受体４のベルトコンベアにプールされる。また、物品載せ体３が物品搬送体２の搬送方向斜め後方に向いているため、物品載せ体３の上の果菜１はその方向（物品搬送体２の搬送方向と逆方向）へ送り出されて、送出し速度が減速され、勢いが付きすぎて横転するとか、物品受体４にプールされている果菜１に衝突するとかして果菜１が傷つくことがない。
（６）果菜１を送り出した物品載せ体３は物品搬送体２によって更に先方へ搬送され、搬送路の途中に配置してある戻し用案内体４６によって、物品受体４から離れた方向に位置している係止具３５を逆方向へガイドして元の位置まで戻され、物品搬送体２の始端部へ戻る。
（７）前記（４）において、物品載せ体３をそのまま前進させる旨の指示があったときは、切換操作具（回転体）４５が作動せず切換レバー４４が進路不変位置に停止したままとなり、果菜１を載せた物品載せ体３の係止具３５が切換レバー４４に接触することなくその前を通過して、その搬送が継続される。所定位置まで搬送されて、送出し位置まで到来すると、前記計測結果に基づいて切換レバー４４を進路変更位置に切り替えるよう指示が出され、物品載せ体３の係止具３５が前記（５）のように案内体４３にガイドされ、物品載せ体３の無端ベルト１８が前記（５）の場合と同様に移動して果菜１が物品受体４へ送り出される。
【００５０】
（物品搬送送出装置の実施形態２）
本発明の物品搬送送出装置の実施形態の他の例を図１１に示す。この物品搬送送出装置の物品載せ体３は幅の細い無端ベルト１８を二本平行に並べたベルトコンベア方式にしたものである。二本のベルト１８は搬送方向手前方のもの（図１１中左側）を搬送方向先方のもの（図１１中右側）よりも先端位置を長くして、両ベルト１８を搬送体２に後ろ向き傾斜に配置しても両ベルト１８の先端部が物品受体４に近づいて物品載せ体３と物品受体４との間の隙間５１に殆ど隙間ができないようにし、物品載せ体３から物品受体４に果菜１がスムースに引き継がれるようにしてある。無端ベルト１８は三本以上にすることもできる。
【００５１】
（物品搬送送出装置の実施形態３）
本発明の物品搬送送出装置の第３の実施形態を図１２（ａ）（ｂ）に示す。この物品搬送送出装置の物品載せ体は多数本のローラー５２を回動可能に設けたローラーコンベア構造であり、ローラー５２の下にベルトコンベア５３を各ローラー５２と接触させて設け、ベルトコンベア５３が回転すると各ローラー５２が回転してローラーコンベア上の果菜１が物品受体４に送り出されるようにしてある。ベルトコンベア５３は図１２（ｂ）に示すようにベルトコンベア５３の下走行部に設けた係止具５４を任意の手段で同図（ｂ）の左右方向に移動させることにより回転させることができ、係止具５４を左側に移動させるとベルトコンベアが右回転し、各ローラー５２が左回転し、その上の果菜１が図１２（ｂ）の左側に（物品受体４側）に送り出されるようにしてある。
【００５２】
（物品搬送送出装置の実施形態４）
本発明の物品搬送送出装置の第４の実施形態を図１３（ａ）（ｂ）に示す。この物品搬送送出装置の物品載せ体は、多数のローラー５５がフレーム５７に回動可能に設けられたローラーコンベア５６であり、図１３（ｂ）に示すようにフレーム５７を支持軸５８を中心に左右に回動可能（シーソー式）に支持台５９に設け、フレーム４２のうち支持軸５８の左右両側をバネ６０で支持台５９に連結してフレーム５７を水平に保持し、フレーム５７の軸方向一端の下に駆動ピン６１を設け、その駆動ピン６１を下から持ち上げる（押し上げる）とローラーコンベア５６が図１３（ｂ）の左側（受体４側）に下り傾斜になって、ローラー５５の上の果菜１が物品受体４に落下するようにしてある。駆動ピン６１の持ち上げ（押し上げ）を解除するとローラーコンベア５６はバネ６０の引っ張り力によって水平に戻るようにしてある。
【００５３】
（物品搬送送出装置の実施形態５）
本発明の物品搬送送出装置の第５の実施形態を図１４に示す。この物品搬送送出装置の物品載せ体３は、二本のバーを平行に配置して果菜１を載置可能とした載置台６２と、載置台６２に沿って往復移動可能な送出体６３で構成され、載置台６２上に載せた果菜１を送出体６３の移動で矢印方向に押して物品受体４に送り出し可能としてある。送出体６３は果菜１が安定するように当接面６４を円弧状に湾曲させてある。載置台６２に用いられるバーは滑り抵抗が小さくて果菜１が滑り易いものが好ましく、例えば、金属棒の外周にフッ素樹脂をコートしたものとか、樹脂製の棒などが適する。送出体６３はその下側に設けた係止具６５を任意の駆動機構で往復移動させることができる。図１４の物品載せ体３もブラケット６６により物品搬送体２の搬送方向に対して後ろ斜め向きに取り付けてある。載置台６２は果菜１を載置可能であれば三本以上のバーやプレート等の固定具としたり、搬送方向斜め後方に回転可能に配置されたローラーコンベアとしたりするなど、任意のものとすることができる。
【００５４】
（物品搬送送出装置の実施形態６）
本発明の物品搬送送出装置の第６の実施形態を図１５（ａ）（ｂ）に示す。この物品搬送送出装置の物品載せ体３は、搬送方向斜め後方向きに配置された鍵盤状（角棒状）の支持材１００であって、その支持材１００を搬送方向に多数枚鍵盤状に並べて備えたものである。各支持材１００は、図１５（ｂ）に示すように、首振り駆動体（図示しない）により、支持軸１０１を中心に鍵盤状に首振り可能とされており、その首振りによって物品載せ体３上の果菜１を搬送方向斜め後方に送り出し可能としている。支持材１００の下側には、首振りした支持材１００が係止して必要以上に首振りしないようにする係止具１０２が備えられている。多数の支持材１００は接近させて配置することにより、どの位置の一又は二以上の支持材１００にも果菜１を載せることができるようにしてある。また、この支持材１００は細長平板状であってもよい。
【００５５】
（物品搬送送出装置の実施形態７）
本発明の物品搬送送出装置の第７の実施形態を図９（ａ）（ｂ）に示す。この物品搬送送出装置では、隣接する二本のベルトコンベア式の物品載せ体３を一組のユニット５０として、夫々のユニット５０に二以上の果菜１を載せることができるようにし、各ユニット５０の二本以上の物品載せ体３が同期作動して果菜１を物品受体４に送り出し可能としたことである。前記ユニット５０は三本以上を一組とすることもできる。各ユニット５０の物品載せ体３は図９（ｂ）に示すようにフレームにセットされ、両フレームを斜め平行に並べて連結してある。また、ユニット５０は、図１０に示すように、隣接する四本のベルトコンベア式の物品載せ体３を一組のユニット５０とすることもできる。この図１０に示すユニット５０においては、四本のベルトコンベア式の物品載せ体３に跨るようにして物品支持体５が設けられている。この場合も、四本のベルトコンベアを同期作動させて果菜１を物品受体４に送り出し可能である。さらに、ユニット５０は、前記のベルトコンベア式の物品載せ体３を組合わせたものには限られず、前記各実施形態のいずれに記載された物品載せ体３を組合わせて形成することもできる。
【００５６】
（物品搬送送出装置の実施形態８）
本発明の物品搬送送出装置の第７の実施形態を図１６（ａ）（ｂ）に示す。この物品搬送送出装置では、物品搬送体２の物品載せ体３と物品受体４の間に減速体１１０が設けられている。この減速体１１０は、表面がフッ素樹脂加工等された板材などが用いられ、図１６（ｂ）に示すように物品載せ体３から物品受体４に向けて上り傾斜に配置されている。この場合、物品受体４の上面を物品載せ体３の上面より高くなるようにする。減速体１１０の傾斜角度は、任意とすることができ、例えば１°〜１０°とすることができるが、３°程度が望ましい。減速体１１０を傾斜させずに備えることもできる。この減速体１１０は、物品載せ体３の出口側や物品受体４の入口側に備えることもできる。この減速体１１０によって、物品載せ体３から物品受体４に搬送方向斜め後方に送り出される果菜１の送り速度を減速させることができる。また、減速体１１０を省略し、物品受体４の上面を物品載せ体３の上面より高くなるようにしたり、物品受体４自体を上り傾斜にしたりして果菜１の送り速度を減速させることもできる。
【００５７】
（物品搬送送出装置のその他の実施形態）
本発明の物品搬送送出装置では、物品搬送体２で搬送中の果菜１の搬送方向斜め後方への送り出し手段は、前記各実施形態記載のものには限られず、他の任意の手段によって行うことができる。
【００５８】
本発明の物品搬送送出装置では、物品受体４を省略して、物品搬送体２から搬送方向斜め後方へ送り出される果菜１が任意の場所へ送り出されるようにすることもできる。
【産業上の利用可能性】
【００５９】
本発明の物品搬送送出方法、果菜選別方法、前記方法の実施に用いる物品搬送送出装置、果菜選別装置は、果菜の選別に限られず、農産物、海産物等の一次産業品、工業製品のような二次産業品といった各種物品の搬送、送出、選別に応用することもできる。
【符号の説明】
【００６０】
１  物品（果菜）
２  物品搬送体
３  物品載せ体
４  物品受体
５  物品支持具
６  判別部
７  排出部
８  投入部
１１  チェーン
１３  主フレーム
１４  チェーンガイド
１５  アタッチメント
１８  無端ベルト
３５  係止具
４１  係止具ガイド
４３  案内体
４４  切換レバー
４５  回転体
５０  ユニット
５２  ローラー
５３  ベルトコンベア
５４  係止具
５６  ローラーコンベア
６１  駆動ピン
６２  載置台
６３  送出体
６５  係止具
１００  支持材
１０１  支持軸
１０２  係止具
１１０  減速体
【図１】
2015091734.tif 000003
【図２】
2015091734.tif 000004
【図３】
2015091734.tif 000005
【図４】
2015091734.tif 000006
【図５】
2015091734.tif 000007
【図６】
2015091734.tif 000008
【図７】
2015091734.tif 000009
【図８】
2015091734.tif 000010
【図９】
2015091734.tif 000011
【図１０】
2015091734.tif 000012
【図１１】
2015091734.tif 000013
【図１２】
2015091734.tif 000014
【図１３】
2015091734.tif 000015
【図１４】
2015091734.tif 000016
【図１５】
2015091734.tif 000017
【図１６】
2015091734.tif 000018
【図１７】
2015091734.tif 000019
【図１８】
2015091734.tif 000020
【図１９】
2015091734.tif 000021